(57)【要約】【課題】折り曲げ光学系の像面側の光軸上に配置されたレンズ群に異物等が付着することを防止し、撮影画質が優れたカメラを提供する。【解決手段】カメラにカバー部材１９ａを設け、これを、カメラが沈胴状態のときには、屈曲光学部であるミラー６と、像面側に設けられた第３群レンズＬ３との間に、第３群レンズＬ３を覆うように配置して、第３レンズ群Ｌ３、第４レンズ群Ｌ４，第５レンズ群Ｌ５に異物等が付着することを防止し、カメラを撮影状態にするときは、カバー部材１９ａを、第１の光路の外側にバネ１９ｂを用いて移動して、フレアカッタとして利用した。【選択図】図１
2006091386.tif 000002
【特許請求の範囲】
【請求項１】
物体側の光路である第１の光路を、像面側の光路である第２の光路に折り曲げる屈曲光学部と、
前記第１の光路の光軸である第１の光軸に沿った方向に移動する少なくとも１つの移動レンズ群と、
前記移動レンズ群を移動させる移動レンズ群移動機構と、
前記第２の光路の光軸である第２の光軸上に配置された少なくとも１つのレンズ群と、
前記屈曲光学部と前記レンズ群の間に配置され、前記レンズ群の一部又は全部を覆うカバー部と、
を備えるカメラ。
【請求項２】
請求項１に記載のカメラにおいて、
前記カバー部は、
前記レンズ群の一部又は全部を覆うカバー部材と、
前記カバー部材を移動させるカバー部材移動機構とを備えること、
を特徴とするカメラ。
【請求項３】
請求項２に記載のカメラにおいて、
前記カバー部材移動機構は、前記カバー部材を、前記レンズ群の一部又は全部を覆わせる位置に移動させること、
を特徴とするカメラ。
【請求項４】
請求項２又は請求項３に記載のカメラにおいて、
前記カバー部材移動機構は、前記カバー部材を、前記移動レンズ群の前記屈曲光学部側への移動に伴い移動させること、
を特徴とするカメラ。
【請求項５】
請求項２から請求項４までのいずれか１項に記載のカメラにおいて、
前記カバー部材移動機構は、前記カバー部材を、前記第２の光軸に対して垂直になるように移動させること、
を特徴とするカメラ。
【請求項６】
請求項２から請求項５までのいずれか１項に記載のカメラにおいて、
前記カバー部材移動機構は、前記カバー部材を、前記第２の光路の外側に移動させること、
を特徴とするカメラ。
【請求項７】
請求項６に記載のカメラにおいて、
前記カバー部材移動機構は、前記カバー部材を、前記移動レンズ群の物体側への移動に伴い移動させること、
を特徴とするカメラ。
【請求項８】
請求項６又は請求項７に記載のカメラにおいて、
前記カバー部材移動機構は、前記カバー部材を、前記第１の光軸に対して垂直になるように移動させること、
を特徴とするカメラ。
【請求項９】
請求項６から請求項８までのいずれか１項に記載のカメラにおいて、
前記カバー部材は、遮光材により形成され、前記第１の光路の外側であって、前記移動レンズ群と前記屈曲光学部の間の遮蔽位置に移動され、前記移動レンズ群を含む撮影光学系の不要な光線を遮ること、
を特徴とするカメラ。
【請求項１０】
請求項９に記載のカメラにおいて、
前記カバー部材は、円弧状の縁部を有し、
前記円弧状の縁部は、前記カバー部材が前記遮蔽位置にある状態で、前記第１の光路の外側に形成され、前記第１の光軸を中心とする円弧の曲率と同等又はそれ以下の円弧であること、
を特徴とするカメラ。
【請求項１１】
請求項２から請求項１０までのいずれか１項に記載のカメラにおいて、
前記カバー部材移動機構の一部は、前記移動レンズ群移動機構の一部であること、
を特徴とするカメラ。
【発明の詳細な説明】
【技術分野】
【０００１】
本発明は、折り曲げ光学系を採用したレンズ鏡筒を備えたカメラに関するものである。
【背景技術】
【０００２】
従来、カメラのレンズ鏡筒は、カメラの奥行き方向の厚さを薄くするため、ミラー等の屈曲光学部を用いて、光軸を折り曲げる折り曲げ光学系を備えていた。
また、従来の折り曲げ光学系を備えたカメラは、カメラをさらに小型にするために沈胴式のレンズ鏡筒を採用したり、また、撮影光学系に光学ズーム機構を採用するなどして、カメラの付加価値を高め、他機種との差別化を図っていた。
【０００３】
例えば、ズームレンズを使用したカメラの小型化を図るために、複数のレンズ群より構成されるズームレンズ系において、ズーミングの際に移動するレンズ群とレンズ群の間に、光軸を折り曲げるミラーを配置したズームレンズ系、レンズ鏡筒が開示されている（特許文献１、特許文献２参照）。
【０００４】
一般に、沈胴式のレンズ鏡筒や光学ズーム機構を備えたカメラは、カメラ筐体からレンズ鏡筒の繰り出しを行い、また、その繰り出し量を変更するための機構を備えている。このため、この機構の摺動部や隙間等から、レンズ鏡筒の繰り出しを行うときに、カメラの内部に埃などの異物等が入り込む可能性があった。
また、折り曲げ光学系を採用したカメラは、ミラー等に折り曲げられた光軸（像面側の光軸）の方向を、カメラの鉛直方向とするものが多い。そのため、この光軸上に配置されたレンズ群やＣＣＤ等の撮像素子に、カメラ内部に入り込んだ異物等が付着して、撮影画質を悪化させる可能性があった。
【特許文献１】特開２０００−１８７１５９号公報
【特許文献２】特開平１１−２５８６７８号公報
【発明の開示】
【発明が解決しようとする課題】
【０００５】
本発明の課題は、折り曲げ光学系の像面側の光軸上に配置されたレンズ群に異物等が付着することを防止し、撮影画質が優れたカメラを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、物体側の光路である第１の光路（Ｐ１）を、像面側の光路である第２の光路（Ｐ２）に折り曲げる屈曲光学部（６）と、前記第１の光路（Ｐ１）の光軸である第１の光軸（Ｏ１）に沿った方向に移動する少なくとも１つの移動レンズ群（Ｌ１，Ｌ２）と、前記移動レンズ群（Ｌ１，Ｌ２）を移動させる移動レンズ群移動機構（１３，１５等）と、前記第２の光路（Ｐ２）の光軸である第２の光軸（Ｏ２）上に配置された少なくとも１つのレンズ群（Ｌ３，Ｌ４，Ｌ５）と、前記屈曲光学部（６）と前記レンズ群（Ｌ３）の間に配置され、前記レンズ群（Ｌ３）の一部又は全部を覆うカバー部（１９）と、を備えるカメラである。
【０００７】
請求項２の発明は、請求項１に記載のカメラにおいて、前記カバー部（１９）は、前記レンズ群（Ｌ３）を覆うカバー部材（１９ａ，１１９ａ）と、前記カバー部材（１９ａ，１１９ａ）を移動させるカバー部材移動機構（１９ｂ，１１９ｂ，１１９ｃ等）とを備えること、を特徴とするカメラである。
請求項３の発明は、請求項２に記載のカメラにおいて、前記カバー部材移動機構（１９ｂ，１１９ｂ，１１９ｃ等）は、前記カバー部材（１９ａ，１１９ａ）を、前記レンズ群（Ｌ３）の一部又は全部を覆わせる位置に移動させること、を特徴とするカメラである。
請求項４の発明は、請求項２又は請求項３に記載のカメラにおいて、前記カバー部材移動機構（１９ｂ，１１９ｂ，１１９ｃ等）は、前記カバー部材（１９ａ，１１９ａ）を、前記移動レンズ群（Ｌ１，Ｌ２）の前記屈曲光学部（６）側への移動に伴い移動させること、を特徴とするカメラである。
請求項５の発明は、請求項２から請求項４までのいずれか１項に記載のカメラにおいて、前記カバー部材移動機構（１９ｂ，１１９ｂ，１１９ｃ等）は、前記カバー部材（１９ａ，１１９ａ）を、前記第２の光軸（Ｏ２）に対して垂直な位置に移動させること、を特徴とするカメラである。
請求項６の発明は、請求項２から請求項５までのいずれか１項に記載のカメラにおいて、前記カバー部材移動機構（１９ｂ，１１９ｂ，１１９ｃ等）は、前記カバー部材（１９ａ，１１９ａ）を、前記第２の光路（Ｐ２）の外側に移動させること、を特徴とするカメラである。
請求項７の発明は、請求項６に記載のカメラにおいて、前記カバー部材移動機構（１９ｂ，１１９ｂ，１１９ｃ等）は、前記カバー部材（１９ａ，１１９ａ）を、前記移動レンズ群（Ｌ１，Ｌ２）の物体側への移動に伴い移動させること、を特徴とするカメラである。
請求項８の発明は、請求項６又は請求項７に記載のカメラにおいて、前記カバー部材移動機構（１９ｂ，１１９ｂ，１１９ｃ等）は、前記カバー部材（１９ａ，１１９ａ）を、前記第１の光軸（Ｏ１）に対して垂直な位置に移動させること、を特徴とするカメラである。
請求項９の発明は、請求項６から請求項８までのいずれか１項に記載のカメラにおいて、前記カバー部材（１９ａ，１１９ａ）は、遮光材により形成され、前記第１の光路（Ｐ１）の外側であって、前記移動レンズ群と前記屈曲光学部（６）の間の遮蔽位置に移動され、前記移動レンズ群（Ｌ１，Ｌ２）を含む撮影光学系の不要な光線を遮ること、を特徴とするカメラである。
請求項１０の発明は、請求項９に記載のカメラにおいて、前記カバー部材（１９ａ，１１９ａ）は、円弧状の縁部（１９ｄ）を有し、前記円弧状の縁部は、前記カバー部材（１９ａ，１１９ａ）が前記遮蔽位置にある状態で、第１の光路（Ｐ１）の外側で形成され、前記第１の光軸（Ｏ１）を中心とする円弧の曲率と同等又はそれ以下の円弧であること、を特徴とするカメラである。
請求項１１の発明は、請求項２から請求項１０までのいずれか１項に記載のカメラにおいて、前記カバー部材移動機構（１９ｂ，１１９ｂ，１１９ｃ等）の一部は、前記移動レンズ群移動機構（１３，１５等）の一部であること、を特徴とするカメラである。
【発明の効果】
【０００８】
本発明によれば、以下の効果を奏することができる。
（１）本発明のカメラは、物体側の光路（第１の光路）を、像面側の光路（第２の光路）に屈曲光学部で折り曲げ、第２の光路の光軸（第２の光軸）上に配置されたレンズ群と屈曲光学部との間に、カバー部を設け、レンズ群の一部又は全部を覆っている。これにより、第１の光路の光軸（第１の光軸）に沿った方向に移動レンズ群を移動させる移動レンズ群移動機構の摺動部、隙間等から埃などの異物等が入り込んでも、第２の光軸上に配置されたレンズ群に付着することを防止でき、撮影画質を維持することができる。
【０００９】
（２）本発明のカメラは、カバー部が、レンズ群を覆うカバー部材と、カバー部材を移動させるカバー部材移動機構とを備えているので、カメラを使用するときにカバー部材を移動させることができる。
（３）本発明のカメラは、カバー部材移動機構が、カバー部材を、第２の光軸上に配置されたレンズ群の一部又は全部を覆わせる位置に移動させているので、沈胴時等のカメラを使用しないときに、レンズ群に異物等が付着することを防止できる。
（４）本発明のカメラは、カバー部材移動機構が、カバー部材を、移動レンズ群の屈曲光学部側への移動に伴い移動させている。これにより、レンズ鏡筒を沈胴させるとき等に、ユーザーがカバー部の操作をしなくても、第２の光軸上に配置されたレンズ群の一部又は全部を覆わせる位置にカバー部材が移動され、カメラの操作が煩雑とならない。
（５）本発明のカメラは、カバー部材移動機構が、カバー部材を、第２の光軸に対して垂直な位置に移動させているので、カバー部材の大きさを小さくしても、第２の光軸上に配置されたレンズ群を覆うことができる。また、カバー部材に付着した異物等が脱落して、レンズ群に付着することを防止することができる。
（６）本発明のカメラは、カバー部材移動機構が、カバー部材を、第２の光路の外側に移動させているので、撮影時等に、カバー部材を光路の外側に移動させることができる。
（７）本発明のカメラは、カバー部材移動機構が、カバー部材を、移動レンズ群の物体側への移動に伴い移動させているので、撮影時に、ユーザーがカバー部の操作をしなくても、第２の光路の外側にカバー部材が移動され、カメラの操作が煩雑とならない。
（８）本発明のカメラは、カバー部材移動機構が、カバー部材を、第１の光軸に対して垂直な位置に移動させているので、カバー部材の位置決め等の構造を、簡単なものとすることができ、設計工程、製造工程上の作業、検査等が煩雑とならない。
（９）本発明のカメラは、カバー部材が遮光材により形成され、第１の光路の外側であって、移動レンズ群と屈曲光学部との間の遮光位置に移動され、撮影光学系の不要な光線（フレア）を遮っている。これにより、カバー部材は、上述した効果を維持したまま、フレアカッタとして機能し、カメラの撮影画質を向上することができる。
（１０）本発明のカメラは、カバー部材が遮蔽位置にある状態で、第１の光路の外側で形成され、第１の光軸を中心とする円弧の曲率と同等又はそれ以下の円弧状の縁部を有している。これにより、カバー部材は、フレアを効率良く遮ることができるので、カバー部材のフレアカッタとしての機能をより高めることができる。
（１１）本発明のカメラは、カバー部材移動機構の一部が、移動レンズ群移動機構の一部であるので、カバー部を設けても、大きな収容スペースを必要とせず、また、レンズ鏡筒の構造を複雑化することがない。
【発明を実施するための最良の形態】
【００１０】
本発明は、折り曲げ光学系の像面側の光軸上に配置されたレンズ群に異物等が付着することを防止し、撮影画質が優れた沈胴式、及び、光学ズーム機構を備えたカメラを提供するという目的を、カバー部材を設け、これを、カメラが沈胴状態のときには、屈曲光学部であるミラーと、像面側に設けられた第３群レンズとの間に、第３群レンズを覆うように配置して、第３レンズ群、第４レンズ群，第５レンズ群に異物等が付着することを防止し、カメラを撮影状態にするときは、カバー部材を、第１の光路の外側にバネを用いて移動して、フレアカッタとして用いることにより実現した。
【実施例１】
【００１１】
以下、図面等を参照して、本発明の実施例をあげて、さらに詳しく説明する。
図１、図２は、本発明によるカメラの実施例１を示す図であって、図１は、沈胴時（対物レンズ等をカメラ筐体内に収納した時）の状態を示す図、図２は、撮影時（対物レンズ等を物体側に繰り出した時）の状態を示す図である。
また、図１（ａ）は、沈胴時のカメラの縦断面を示す図、図１（ｂ）は、カメラを正面からみたときの内部構造を模式的に示す図である。
図２（ａ）は、撮影時のカメラの縦断面を示す図、図２（ｂ）は、図２（ａ）のＢ−Ｂ部矢視断面を示す図、図２（ｃ）は、図２（ａ）のＣ−Ｃ部矢視図である。
なお、以下の説明においては、カメラの正位置撮影時を基準に上下、前後等を説明する。正位置撮影時とは、対物レンズの光軸を水平方向に向け、横長の画像を撮影するときの状態をいうものとし、また、カメラ本体の対物レンズ側の面を前面とし、その反対側を背面とする。
実施例１のカメラは、図１（ａ）に示すように、筐体１１内に、折り曲げ光学系を備えた５群構成のレンズ鏡筒が収容されている。
このレンズ鏡筒は、第１固定筒１２と、カム筒１３と、直進筒１５と、第１固定筒１２と直交する方向に配置された第２固定筒１４と、ガイド軸１６，１７と、後述するカバー部１９等を備えている。
【００１２】
ミラー６は、屈曲光学部であり、撮影光学系の物体側の光路Ｐ１（第１の光路）を、像面側の光路Ｐ２（第２の光路）へと９０°折り曲げている。本実施例のカメラは、物体側の光路Ｐ１の光軸（以下「物体側光軸Ｏ１」という。）の方向がカメラの前後方向、像面側の光路Ｐ２の光軸（以下「像面側光軸Ｏ２」という。）の方向がカメラの鉛直方向となるように、ミラー６を配置している。
第１固定筒１２は、その内側に、物体側光軸Ｏ１上に、物体側から順に、第１群レンズＬ１（対物レンズ群）、第２群レンズＬ２が配置されている。また、第２固定筒１４は、その内側に、像面側光軸Ｏ２上に、第３群レンズＬ３、第４群レンズＬ４、第５群レンズＬ５が順に配置されている。
【００１３】
第１群レンズＬ１、第２群レンズＬ２は、物体側光軸Ｏ１に沿った方向に移動する移動レンズ群である。第１群レンズＬ１、第２群レンズＬ２は、第１レンズ枠１、第２レンズ枠２にそれぞれ保持されている。これらレンズ枠は、カム筒１３とカム結合し、また、カム筒１３の内部に配置された直進筒１５に物体側光軸Ｏ１回りの回転止めをされている。このため、カム筒１３が物体光軸Ｏ１回りに回転すると、第１群レンズＬ１、第２群レンズＬ２は、物体光軸Ｏ１に沿った方向に移動する。これにより、沈胴式のカメラは、第１群レンズＬ１、第２群レンズＬ２等の繰り出しを行い、光学ズーム機構を搭載したカメラは、撮影光学系の焦点距離の変更を行っている。
カム筒１３は、第１固定筒１２の内側に配置され、駆動部であるズームモータ２１により、ギア列２１ａを介して物体側光軸Ｏ１を中心として回転される。これにより、カム筒１３は、その内部に収容した直進筒１５と一緒に、物体側光軸Ｏ１に沿った方向に移動する。カム筒１３と直進筒１５は、物体側光軸Ｏ１に沿った方向に移動する移動筒である。
【００１４】
このように、第１固定筒１２、カム筒１３、直進筒１５、第１レンズ枠１、第２レンズ枠２等は、第１群レンズＬ１と第２群レンズＬ２を、物体側光軸Ｏ１に沿った方向に移動させる移動機構である。
【００１５】
第３群レンズＬ３、第４群レンズＬ４、第５群レンズＬ５は、像面側光軸Ｏ２に沿った方向に移動する移動レンズ群である。第３群レンズＬ３、第４群レンズＬ４、第５群レンズＬ５は、第３レンズ枠３、第４レンズ枠４、第５レンズ枠５にそれぞれ保持され、これらのレンズ枠が、第２固定筒１４の内側に、移動可能に支持されている。
図２（ｂ）に示すように、第４レンズ枠４には、像面側光軸Ｏ２と平行に、カメラ後方の範囲に通孔４ａと、カメラ前方の範囲に２つのリブ４ｂ，４ｃが設けられている。第４レンズ枠４は、この通孔４ａに後述するガイド軸１６が挿入され、また、２つのリブ４ｂ，４ｃの間に後述するガイド軸１７が挟まれるように配置され、これらガイド軸１６，１７によって、支持されている。また、第４レンズ枠４は、これらガイド軸１６、１７によって像面側光軸Ｏ２に垂直な面における位置決め、及び、回転止めをされている。同様に、第３レンズ枠３、第５レンズ枠５は、ガイド軸１６、１７によって支持され、像面側光軸Ｏ２に垂直な面における位置決め、及び、回転止めをされている。
【００１６】
ガイド軸１６，１７は、第３群レンズＬ３、第４群レンズＬ４、第５群レンズＬ５を像面側光軸Ｏ２に沿った方向に、案内するガイド部である。
ガイド軸１６は、ミラー６よりもカメラ後方側に、像面側光軸Ｏ２と平行に配置され第２固定筒１４の内側に固定されている。
ガイド軸１７は、第２固定筒１４の内側のカメラ前方に、像面側光軸Ｏ２と平行に設けられている。ガイド軸１７は、カム筒１３の移動範囲を確保するために、カム筒１３のカメラ下方の外側に設けられている。
【００１７】
そして、第３レンズ枠３、第４レンズ枠４、第５レンズ枠５は、駆動部であるステッピングモータ２３，２４，２５によって、それぞれ像面側光軸Ｏ２に沿った方向に移動される。
また、第２固定筒１４には、第５群レンズＬ５の像面側に、ＬＰＦ（ローパスフィルタ）７、ＣＣＤ（電荷結合素子）８が順に固定されている。
【００１８】
カバー部１９は、沈胴時には、像面側光軸に配置された移動レンズ群への異物等の付着を防止する部材であり、撮影時には、撮影光学系に入射した不要な光線を遮るフレアカッタとして用いられる。このカバー部１９は、カバー部材１９ａと、バネ１９ｂ等を含む移動機構を備えている。
【００１９】
カバー部材１９ａは、遮光性を有する樹脂（遮光材）により形成され、板状をしている。その平面形状は、後述するように一辺（縁部１９ｄ）に円弧を有する略矩形状である。沈胴状態では、カバー部材１９ａは、像面側に配置されたレンズ群に異物等が付着するこことを防止する機能を有している。図１（ａ）に示すように、沈胴状態では、カバー部材１９ａは、ミラー６と第３群レンズＬ３の間に、第３群レンズＬ３の一部を覆うように、像面側光軸Ｏ２に対して垂直に配置されている。カバー部材１９ａは、そのカメラ前方の範囲に、カメラ左右方向に回転軸１９ｃが設けられ、この回転軸１９ｃを中心として回転可能に、第２固定筒１４に支持されている。カバー部材１９ａは、後述するバネ１９ｂに回転軸１９ｃを中心とした反時計回りのモーメントを与えられ、直進筒１５に設けられた位置決め部１５ｂにより、回転止めをされている。
撮影時には、カバー部材１９ａは、撮影光学系のフレアを遮るフレアカッタとして機能し、物体側の光路Ｐ１の外側に、第２群レンズＬ２とミラーの間（以下「遮蔽位置」という。）に、物体側光軸Ｏ１に対して垂直に配置される。カバー部材１９ａの物体側光軸Ｏ１側の縁部１９ｄの形状は、カメラ後方（物体側光軸Ｏ１に沿った方向）からみると、物体側の光路Ｐ１の外側で形成され、物体側光軸Ｏ１を中心とする円弧の形をしている（図２（ｃ）参照）。カバー部材１９ａは、撮影時には、第２固定筒１４に設けられた位置決め部１４ａにより、回転止めをされている。
【００２０】
バネ１９ｂは、カバー部材１９ａを回転軸１９ｃ回りに回転させるねじりコイルバネである。図２（ａ）に示すように、バネ１９ｂは、そのコイルの中心を回転軸１９ｃの中心とされ、一方の腕を第２固定筒１４の内壁に、他の一方の腕をカバー部材１９ｂに押し付けるように配置されている。
【００２１】
以上説明した機構により、カメラが撮影状態から沈胴状態にされるときは、カバー部材１９ａは、第１群レンズＬ１、第２群レンズＬ２のミラー６側への移動に伴い、第３群レンズＬ３の一部を覆う位置に移動される。逆に、沈胴状態から撮影状態にされるときは、第１群レンズＬ１、第２群レンズＬ２のカメラ前方（物体側）への移動に伴い、遮蔽位置に移動される。
【００２２】
バネ１９ｂは、カバー部材１９ａを回転軸１９ｃ回りに回転させるカバー部材移動機構である。また、直進筒１５、カム筒１３等は、第１群レンズＬ１、第２群レンズＬ２の移動機構（レンズ群移動機構）の一部であると同時に、カバー部材１９ａを移動させるカバー部材移動機構の一部として兼用されている。このため、大きな収容スペースを必要とせず、カバー部材１９ａを設けることができる。
【００２３】
フォトインタラプタＰＩ１〜ＰＩ４は、第１群レンズＬ１〜第５群レンズＬ５のリセット位置を検出する検出部である。第１群レンズＬ１、第２群レンズＬ２は、直進筒１５に設けられた遮蔽羽１５ａが、フォトインタラプタＰＩ１を横切ることにより、リセット位置が検出される。同様に、第３群レンズＬ３、第４群レンズＬ４、第５群レンズＬ５は、第３レンズ枠３、第４レンズ枠４、第５レンズ枠５の遮蔽羽が、それぞれフォトインタラプタＰＩ２，ＰＩ３，ＰＩ４を横切ることによって、リセット位置が検出される。
【００２４】
実施例１のカメラのレンズ鏡筒は、沈胴状態にするときは、第１群レンズＬ１、第２群レンズＬ２等は、筐体１１の内側に収納される。第３群レンズＬ３、第４群レンズＬ４、第４群レンズＬ５は、ステッピングモータ２３，２４，２５の駆動力により像面側に移動される（図１参照）。撮影状態にするときには、第１群レンズＬ１、第２群レンズＬ２等は、カメラ前方向に繰り出される（図２参照）。
【００２５】
撮影時の状態から沈胴させるときに、第４群レンズＬ４より先に第３群レンズＬ３を移動させると、移動領域が重複しているため、第３群レンズＬ３が第４群レンズＬ４に衝突してしまう。第４群レンズＬ４と第５群レンズＬ５においても同様である。
【００２６】
そこで、実施例１のカメラは、制御部であるＣＰＵ１８（中央処理演算装置）を備え、ズームモータ２１、ステッピングモータ２３，２４，２５を制御している。
図３は、実施例１によるカメラのレンズ鏡筒の各モータの制御系を示すブロック図である。
図３に示すように、電源ＳＷ１８ａからの入力、及び、フォトインタラプタＰＩ１〜ＰＩ４からの検出は、信号処理回路１８ｂで処理され、ＣＰＵ１８へ出力される。ＣＰＵ１８は、信号処理回路１８ｂからの入力に基づき、各モータを駆動するか否か判定し、駆動回路１８ｃへ命令する。駆動回路１８ｃは、ズームモータ２１、ステッピングモータ２３，２４，２５へ信号を出力し、各モータを駆動する。
【００２７】
また、ＣＰＵ１８は、以下のように判定をし、ズームモータ２１、ステッピングモータ２３，２４，２５を制御、駆動する。
図４は、本実施例によるカメラの移動レンズ群等の移動シーケンスを示す流れ図である。
図４（ａ）に示すように、沈胴するときは、まず、電源ＯＦＦ信号が入力されると（Ｓ１０１）、ＣＰＵ１８の命令により、像面に一番近い第５群のステッピングモータ２５を駆動し（Ｓ１０２）、第５群レンズＬ５を像面側に移動する。第５レンズ枠５によって、フォトインタラプタＰＩ４の信号を検出した場合には（Ｓ１０３；ｙｅｓ）、第４群のステッピングモータ２４を駆動し（Ｓ１０４）、第４群レンズＬ４を像面側に移動する。
【００２８】
同様に、フォトインタラプタＰＩ３の信号が検出された場合には（Ｓ１０５；ｙｅｓ）、第３群のステッピングモータ２３を駆動し（Ｓ１０６）、第３群レンズＬ３を像面側に移動する。フォトインタラプタＰＩ２の信号が検出されたときに（Ｓ１０７；ｙｅｓ）、ズームモータ２１を駆動して（Ｓ１０８）、カム筒１３をミラー側に移動する。
カム筒１３は、物体側光軸Ｏ１に沿った方向に一緒に移動する遮蔽羽１５ａが、フォトインタラプタＰＩ１の信号を切るまで移動し、フォトインタラプタＰＩ１の信号を検出したときに（Ｓ１０９；ｙｅｓ）、第１群レンズＬ１、第２群レンズＬ２等がカメラ筐体に収納され、沈胴状態になったと見なして、カメラの電源をオフにする（Ｓ１１０）。
【００２９】
次に、沈胴時の状態から撮影時の状態にする場合、像面側光軸Ｏ２に沿った方向に移動するレンズ群にあっては、沈胴するときと同様に、隣り合うレンズ群が衝突してしまう。
そこで、実施例１のカメラは、ＣＰＵ１８が以下の制御を行なう。
【００３０】
図４（ｂ）に示すように、電源ＯＮ信号が入力されると（Ｓ２０１）、ＣＰＵ１８の命令によりズームモータ２１を駆動し（Ｓ２０２）、カム筒１３を物体側に移動する。フォトインタラプタＰＩ１の信号が検出されない場合には（Ｓ２０３；ｎｏ）、第３群のステッピングモータ２３を駆動し（Ｓ２０４）、第３群レンズＬ３を、物体側に移動する。フォトインタラプタＰＩ２の信号が検出されない場合には（Ｓ２０５；ｎｏ）、第４群のステッピングモータ２４を駆動し（Ｓ２０６）、第４群レンズＬ４を物体側に移動する。
【００３１】
同様に、フォトインタラプタＰＩ３の信号が検出されない場合には（Ｓ２０７；ｎｏ）、第５群のステッピングモータ２５を駆動し（Ｓ２０８）、第５群レンズＬ５を物体側に移動し、フォトインタラプタＰＩ４の信号が検出されない場合には（Ｓ２０９；ｎｏ）、各レンズ群の移動が終了し、撮影が可能な状態となる（Ｓ２１０）。
【００３２】
以上説明したように、実施例１のカメラのレンズ鏡筒は、カバー部１９を備え、沈胴時には、カバー部材１９ａの一部が、ミラー６と第３群レンズＬ３の間に、第３群レンズＬ３を覆うように、配置されている。このため、第１群レンズＬ１、第２群レンズＬ２の移動機構であるカム筒１３、直進筒１５等の摺動部等から、レンズ鏡筒の内部に異物等が入り込んだとしても、これらが第３レンズ群Ｌ３、第４レンズ群Ｌ４、第５レンズ群Ｌ５、ＣＣＤ８に付着することを防止することができるので、撮影画質を維持することができる。
【００３３】
また、カバー部材１９ａは、遮光性を有する樹脂により形成され、撮影時には、物体側の光路Ｐ１の外側に、第２群レンズＬ２とミラーの間の遮蔽位置に、物体側光軸Ｏ１に対して垂直に配置される。そして、カバー部材１９ａの物体側光軸Ｏ１側の縁部１９ｄの形状は、カメラ後方からみると、物体側光軸Ｏ１を中心とした円弧の形状とされている。このため、カバー部材１９ａは、フレアカッタとして機能し、カメラの撮影画質を向上することができる。特に、実施例１のカメラは、フレアの影響を受けやすいレンズ鏡筒の屈曲部にカバー部材１９ａを配置しているので、第２固定筒１４内に入射する不要な光線を効率良く遮ることができ、カバー部材１９ａのフレアカッタとしての効果を大きくしている。
【００３４】
さらに、実施例１のカメラは、像面側光軸Ｏ１の移動レンズ群の移動機構の一部を、カバー部材移動機構の一部として兼用しているので、カバー部１９は、大きな収容スペースを必要とせず、また、レンズ鏡筒の構造を複雑化せずに、前述した効果を実現することができる。
【実施例２】
【００３５】
次に本発明を適用したカメラの実施例２について説明する。
前述した実施例１のカメラは、カバー部１９のカバー部材移動機構がバネ１９ｂを用いた機構であったが、実施例２のカメラは、ギア列を用いた機構へ変更している。
以下の説明において、実施例１と同様の機能を果たす部分には、同一の符号を付して、重複する説明を適宜省略する。
図５は、実施例２のカメラの縦断面を示す図である。図５（ａ）は、沈胴時の状態、図５（ｂ）は、撮影時の状態を示す図である。
【００３６】
実施例２のカメラのカバー部１１９は、カバー部材１１９ａ、ギア１１９ｂ，１１９ｃ等を備えている。
カバー部材１１９ａは、物体側光軸Ｏ１に沿った方向に移動可能に第２固定筒１４に支持されている。図５（ａ）に示すように、沈胴時には、カバー部材１１９ａは、その一部が、ミラー６と第３群レンズＬ３の間に、第３群レンズＬ３を覆うように、像面側光軸Ｏ２に対して垂直に配置される。カバー部材１１９は、そのカメラ上側の面に平歯車部１１９ｄが設けれている。
ギア１１９ｂ，１１９ｃは、その回転軸がカメラ左右方向となるように、筐体１１に収容されている。また、カム筒１３は、そのカメラ下方向の外側の面に、カメラ前後方向に平歯車部１３ａが設けられており、これから順にギア１１９ｃ、ギア１１９ｂ、平歯車部１１９ｄが噛合いをしている。
【００３７】
以上の機構により、沈胴時の状態から撮影時の状態にするときには、第１群レンズＬ１等が物体側光軸Ｏ１に沿った方向に、カメラ前方向に移動すると伴に、カバー部材１１９ａは、像面側の光路Ｐ２の外側に移動する。逆に、沈胴時の状態にするときには、カメラ後方に第３群レンズＬ３を覆うように移動する。
ギア１１９ｂ，１１９ｃは、カバー部材１１９ａを物体側光軸Ｏに沿った方向に移動させるカバー部材移動機構である。また、カム筒１３等は、第１群レンズＬ１、第２群レンズＬ２の移動機構（移動レンズ群移動機構）の一部であると同時に、カバー部材１１９ａを移動させるカバー部材移動機構の一部である。
【００３８】
実施例２のカメラのカバー部材移動機構は、ギア１１９ｂ，１１９ｃ等より形成され、これらギア列によりカム筒１３の回転力を、カバー部材１１９ａに伝達している。そのため、カバー部材移動機構の安定した駆動が可能であり、カバー部材１１９ａの移動を円滑に行うことができる。また、カバー部材１１９ａに、バネ等による負荷がかからないので、カバー部材１１９ａの変形を防止し、カバー部の信頼性を向上することができる。
【００３９】
また、実施例２のカメラは、そのレンズ枠３の外周の壁部をミラー側に延長させ、像面側の光路Ｐ２を遮らない範囲で、延長部３ａ（図５に２点鎖線で示す。）を設けることにより、第３群レンズＬ３の物体側のレンズ表面を全て覆うことができる。これにより、異物等の像面側に配置されたレンズ群への付着防止の効果を、さらに向上させ、カメラの撮影画質の維持をすることができる。
【００４０】
（変形例）
以上説明した実施例に限定されることなく、種々の変形や変更が可能であって、それらも本発明の均等の範囲内である。
（１）実施例１によるカメラにおいて、カバー部材１９ａの物体側光軸Ｏ１側の縁部１９ｄの形状は、カメラ後方からみると、物体側の光路Ｐ１の外側で形成され、物体側光軸Ｏ１を中心とする円弧の形をしている例を示したが、これに限定されない。フレアを遮ることができればよいので、例えば、物体側の光路Ｐ１の外側で形成され、前述した円弧の曲率以下の円弧でもよい。また、物体側の光路Ｐ１の外側で形成される直線状の縁部としてもよい。
【００４１】
（２）各実施例において、像面側光軸Ｏ２上に配置されたレンズ群は、移動レンズ群である例を示したが、これに限定されない。例えば、第２固定筒１４に固定されたレンズ群としてもよい。
【図面の簡単な説明】
【００４２】
【図１】実施例１によるカメラの沈胴時の状態を示す図である。
【図２】実施例１によるカメラの撮影時の状態を示す図である。
【図３】実施例１によるカメラの各モータの制御系を示すブロック図である。
【図４】実施例１によるカメラの移動シーケンスを示す流れ図である。
【図５】実施例２によるカメラの縦断面図である。
【符号の説明】
【００４３】
１    第１レンズ枠
２    第２レンズ枠
３    第３レンズ枠
３ａ    延長部
４    第４レンズ枠
４ａ    通孔
４ｂ，４ｃ    リブ
５    第５レンズ枠
６    ミラー
７    ＬＰＦ（ローパスフィルタ）
８    ＣＣＤ（電荷結合素子）
１１    筐体
１２    第１固定筒
１３    カム筒
１３ａ    平歯車部
１４    第２固定筒
１４ａ    位置決め部
１５    直進筒
１５ａ    遮蔽羽
１５ｂ    位置決め部
１６，１７    ガイド軸
１６ａ    先端部
１８    ＣＰＵ
１８ａ    電源ＳＷ
１８ｂ    信号処理回路
１８ｃ    駆動回路
１９    カバー部
１９ａ    カバー部材
１９ｂ    バネ
１９ｃ    回転軸
１９ｄ    縁部
２１    ズームモータ
２１ａ    ギア列
２３，２４，２５    ステッピングモータ
１１９    カバー部
１１９ａ    カバー部材
１１９ｂ，１１９ｃ    ギア
１１９ｄ    平歯車部
Ｌ１    第１群レンズ
Ｌ２    第２群レンズ
Ｌ３    第３群レンズ
Ｌ４    第４群レンズ
Ｌ５    第５群レンズ
ＰＩ１〜ＰＩ４    フォトインタラプタ
Ｏ１    物体側光軸
Ｏ２    像面側光軸
Ｐ１    物体側の光路
Ｐ２    像面側の光路
【図１】
2006091386.tif 000003
【図２】
2006091386.tif 000004
【図３】
2006091386.tif 000005
【図４】
2006091386.tif 000006
【図５】
2006091386.tif 000007